(57)【要約】【課題】  非スクランブル放送の視聴とスクランブル放送の視聴との両立を可能とする受信システム、受信方法及び受信プログラムを提供する。【解決手段】  受信システムは、デジタル放送データに基づいて、非スクランブル放送データとスクランブル放送データとを分離する分離部２２と、データの再生処理を行う再生部２４と、データを記憶する記憶部２３とを備える。分離部２２は、非スクランブル放送データを再生部２４に出力し、スクランブル放送データを記憶部２３に出力する。【選択図】  図５
2010081059.tif 000002
【特許請求の範囲】
【請求項１】
スクランブルが施されていない非スクランブル放送データとスクランブルが施されたスクランブル放送データとが重畳されたデジタル放送データを受信する受信システムであって、
前記デジタル放送データに基づいて、前記非スクランブル放送データと前記スクランブル放送データとを分離する分離部と、
データの再生処理を行う再生部と、
データを記憶する記憶部とを備え、
前記分離部は、前記非スクランブル放送データを前記再生部に出力し、前記スクランブル放送データを前記記憶部に出力することを特徴とする受信システム。
【請求項２】
前記スクランブル放送データに施されたスクランブルを解除するデスクランブル部を用いることが可能であるか否かを判定する判定部をさらに備え、
前記分離部は、前記デスクランブル部を用いることが可能である場合に、前記記憶部ではなくて、前記デスクランブル部に前記スクランブル放送データを出力することを特徴とする請求項１に記載の受信システム。
【請求項３】
前記スクランブル放送データに施されたスクランブルを解除するデスクランブル部を用いることが可能であるか否かを判定する判定部と、
前記デスクランブル部を用いることが可能である場合に、前記記憶部に記憶された前記スクランブル放送データに施されたスクランブルの解除を前記デスクランブル部に要求する要求部とをさらに備えることを特徴とする請求項1に記載の受信システム。
【請求項４】
スクランブルが施されていない非スクランブル放送データとスクランブルが施されたスクランブル放送データとが重畳されたデジタル放送データを受信する受信方法であって、
前記デジタル放送データに基づいて、前記非スクランブル放送データと前記スクランブル放送データとを分離するステップと、
前記非スクランブル放送データの再生処理を行うステップと、
前記スクランブル放送データの記憶処理を行うステップとを含むことを特徴とする受信方法。
【請求項５】
スクランブルが施されていない非スクランブル放送データとスクランブルが施されたスクランブル放送データとが重畳されたデジタル放送データを受信する受信プログラムであって、コンピュータに、
前記デジタル放送データに基づいて、前記非スクランブル放送データと前記スクランブル放送データとを分離するステップと、
前記非スクランブル放送データの再生処理を行うステップと、
前記スクランブル放送データの記憶処理を行うステップとを実行させることを特徴とする受信プログラム。
【発明の詳細な説明】
【技術分野】
【０００１】
本発明は、スクランブルが施されていない非スクランブル放送データとスクランブルが施されたスクランブル放送データとが重畳されたデジタル放送データを受信する受信システム、受信方法及び受信プログラムに関する。
【背景技術】
【０００２】
従来、デジタル放送データを受信する受信システムが知られている。ここで、デジタル放送データにはスクランブルが施されているケースが考えられる。従って、受信システムは、デジタル放送データに施されたスクランブルを解除する必要がある。具体的には、受信システムは、スクランブル鍵を格納するＩＣカード（例えば、ＢＣＡＳ（ＢＳ  Ｃｏｎｄｉｔｉｏｎａｌ  Ａｃｃｅｓｓ  Ｓｙｓｔｅｍ）カード）から読み出す。受信システムは、スクランブル鍵を用いて、デジタル放送データに施されたスクランブルを解除する（例えば、特許文献１）。
【０００３】
また、ＩＣカードを装着するためのＩＣカードＩ／Ｆ及びデジタル放送データを受信するチューナを有するカード型チューナが提案されている（例えば、特許文献２）。カード型チューナは、デジタル放送受信機に装着される。
【０００４】
近年では、スクランブルが施されていない非スクランブル放送データ及びスクランブルが施されたスクランブル放送データを含むデジタル放送データの放送が注目を集めている。非スクランブル放送は、例えば、ワンセグメント放送であり、スクランブル放送は、例えば、フルセグメント放送である。
【０００５】
ワンセグメント放送では、１チャネルを構成する１３個のセグメントのうち、１個のセグメントが用いられる。フルセグメント放送では、１チャネルを構成する１３個のセグメントのうち、残りの１２個のセグメントが用いられる。このように、非スクランブル放送データの情報量は、スクランブル放送データの情報量よりも少ない。
【０００６】
非スクランブル放送データはスクランブルの解除を必要としないため、非スクランブル放送データのデスクランブル処理が不要である。従って、非スクランブル放送データの再生負荷は、スクランブル放送データの再生負荷よりも小さい。
【０００７】
このような背景から、非スクランブル放送データの再生機能を有する携帯端末（例えば、携帯電話、携帯ゲーム機など）も提案されている。
【特許文献１】特開平１１−１２２５５０号公報
【特許文献２】特開２００４−０５６４８７号公報
【発明の開示】
【発明が解決しようとする課題】
【０００８】
上述したように、非スクランブル放送データの情報量は、スクランブル放送データの情報量よりも小さい。従って、非スクランブル放送データによって再生されるコンテンツ（映像や音声など）の品位は、スクランブル放送データによって再生されるコンテンツ（映像や音声など）の品位よりも悪い。
【０００９】
従って、非スクランブル放送データの再生のみでは、ユーザのニーズを十分に満足することができない。一方で、ワンセグメント放送を手軽に視聴したいというニーズも存在する。
【００１０】
そこで、本発明は、上述した課題を解決するためになされたものであり、ワンセグメント放送などの非スクランブル放送の視聴とフルセグメント放送などのスクランブル放送の視聴との両立を可能とする受信システム、受信方法及び受信プログラムを提供することを提供することを目的とする。
【課題を解決するための手段】
【００１１】
第１の特徴に係る受信システムは、スクランブルが施されていない非スクランブル放送データとスクランブルが施されたスクランブル放送データとが重畳されたデジタル放送データを受信する。受信システムは、前記デジタル放送データに基づいて、前記非スクランブル放送データと前記スクランブル放送データとを分離する分離部（分離部２２）と、データの再生処理を行う再生部（再生部２４）と、データを記憶する記憶部（記憶部２３）とを備える。前記分離部は、前記非スクランブル放送データを前記再生部に出力し、前記スクランブル放送データを前記記憶部に出力する。
【００１２】
かかる特徴によれば、分離部は、スクランブルが施されていない非スクランブル放送データを再生部に出力する。一方で、分離部は、スクランブルが施されたスクランブル放送データを記憶部に出力する。すなわち、スクランブル放送データに施されたスクランブルを解除できない環境下であっても、スクランブルの解除を後で行うために、スクランブル放送データを記憶部に記憶する。
【００１３】
これによって、ユーザは、非スクランブル放送については直ちに視聴することができ、スクランブル放送については後で視聴することができる。このように、非スクランブル放送の視聴とスクランブル放送の視聴との両立を図ることができる。
【００１４】
第１の特徴において、前記スクランブル放送データに施されたスクランブルを解除するデスクランブル部を用いることが可能であるか否かを判定する判定部（判定部２７ａ）をさらに備える。前記分離部は、前記デスクランブル部を用いることが可能である場合に、前記記憶部ではなくて、前記デスクランブル部に前記スクランブル放送データを出力する。
【００１５】
第１の特徴において、前記スクランブル放送データに施されたスクランブルを解除するデスクランブル部を用いることが可能であるか否かを判定する判定部（判定部２７ａ）と、前記デスクランブル部を用いることが可能である場合に、前記記憶部に記憶された前記スクランブル放送データに施されたスクランブルの解除を前記デスクランブル部に要求する要求部（要求部２７ｂ）とをさらに備える。
【００１６】
第２の特徴に係る受信方法は、スクランブルが施されていない非スクランブル放送データとスクランブルが施されたスクランブル放送データとが重畳されたデジタル放送データを受信する。受信方法は、前記デジタル放送データに基づいて、前記非スクランブル放送データと前記スクランブル放送データとを分離するステップと、前記非スクランブル放送データの再生処理を行うステップと、前記スクランブル放送データの記憶処理を行うステップとを含む。
【００１７】
第３の特徴に係る受信プログラムは、スクランブルが施されていない非スクランブル放送データとスクランブルが施されたスクランブル放送データとが重畳されたデジタル放送データを受信するプログラムである。受信プログラムは、前記デジタル放送データに基づいて、前記非スクランブル放送データと前記スクランブル放送データとを分離するステップと、前記非スクランブル放送データの再生処理を行うステップと、前記スクランブル放送データの記憶処理を行うステップとをコンピュータに実行させる。
【発明の効果】
【００１８】
本発明によれば、非スクランブル放送の視聴とスクランブル放送の視聴との両立を可能とする受信システム、受信方法及び受信プログラムを提供することができる。
【発明を実施するための最良の形態】
【００１９】
以下において、本発明の実施形態に係る受信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［第１実施形態］
（受信システムの構成）
以下において、第１実施形態に係る受信システムについて、図面を参照しながら説明する。図１は、第１実施形態に係る受信システム１００を示す図である。
【００２２】
図１に示すように、受信システム１００は、チューナ装置１０と、端末装置２０と、デスクランブル装置３０とを有する。第１実施形態では、受信システム１００は、非スクランブル放送データとスクランブル放送データとが重畳されたデジタル放送データを受信する。非スクランブル放送データは、例えば、スクランブルが施されていないワンセグ放送データである。スクランブル放送データは、例えば、スクランブルが施されたフルセグ放送データである。
【００２３】
ここで、１つの放送局に対応するデジタル放送データとして、ワンセグ放送データ及びフルセグ放送データを含むデジタル放送データを例示すると、デジタル放送データは、１つのチャネルを用いて放送される。１つのチャネルは、例えば、１３個のセグメントを有する。非スクランブル放送データの一例であるワンセグ放送データは、１３個のセグメントのうち、１個のセグメントを用いて放送される。スクランブル放送データの一例であるフルセグ放送データは、１３個のセグメントのうち、残りの１２個のセグメントを用いて放送される。
【００２４】
チューナ装置１０は、デジタル放送データを受信する装置である。チューナ装置１０は、端末装置２０に接続される。チューナ装置１０は、例えば、ＵＳＢインタフェースを有しており、ＵＳＢケーブルによって端末装置２０と接続される。すなわち、チューナ装置１０が着脱可能に構成されている。チューナ装置１０の詳細については後述する（図４を参照）。
【００２５】
端末装置２０は、ノート型パソコンなどの端末装置である。端末装置２０は、デジタル放送データをチューナ装置１０から取得する。端末装置２０は、非スクランブル放送データ及びスクランブル放送データの双方をチューナ装置１０から取得する。端末装置２０は、チューナ装置１０を内蔵していてもよい。端末装置２０の詳細については後述する（図５を参照）。
【００２６】
デスクランブル装置３０は、スクランブル放送データに施されたスクランブルを解除する装置である。デスクランブル装置３０は、端末装置２０に接続される。デスクランブル装置３０は、例えば、ＵＳＢインタフェースを有しており、ＵＳＢケーブルによって端末装置２０と接続される。すなわち、デスクランブル装置３０が着脱可能に構成されている。デスクランブル装置３０の詳細については後述する（図７を参照）。
【００２７】
（デジタル放送データの構成）
以下において、第１実施形態に係るデジタル放送データの構成について、図面を参照しながら説明する。図２、図３（ａ）〜図３（ｄ）は、第１実施形態に係るデジタル放送データを説明するための図である。
【００２８】
上述したように、１つの放送局に対応するデジタル放送データは、１つのチャネルを用いて放送される。一方で、デジタル放送では、各放送局に対応する複数のデジタル放送データが放送される。従って、デジタル放送では、各放送局に対応する複数のチャネルを管理するための情報（ＰＳＩ；Ｐｒｏｇｒａｍ  Ｓｐｅｃｉｆｉｃ  Ｉｎｆｏｒｍａｔｉｏｎ）が放送される。ＰＳＩなどの情報はパケット化される。
【００２９】
１つの放送局に対応するデジタル放送データは、１つのチャネルを管理するための情報（ＳＩ；Ｓｔｒｅａｍ  Ｉｎｆｏｒｍａｔｉｏｎ）と、映像や音声などの各種情報（ＥＳ；Ｅｌｅｍｅｎｔａｒｙ  Ｓｔｒｅａｍ）とを含む。デジタル放送データはパケット化される。
【００３０】
第１に、パケットの構成について図２を参照しながら説明する。図２に示すように、デジタル放送データを構成するパケットは、ヘッダ及びペイロードによって構成される。
【００３１】
ヘッダは、ペイロードの種類を示す情報（後述するＰＩＤ；Ｐａｃｋｅｔ  Ｉｄｅｎｔｉｆｉｅｒ）などを有する。ペイロードは、ＰＳＩ、ＳＩ、映像情報、音声情報、データ情報などを含む。
【００３２】
図２に示すように、ヘッダは、同期情報（ａ）と、エラー表示（ｂ）と、開始表示（ｃ）と、優先度（ｄ）と、ＰＩＤ（ｅ）と、スクランブル制御（ｆ）と、付加情報制御（ｇ）と、順序表示（ｈ）とを含む。
【００３３】
同期情報（ａ）は、パケットの先頭を識別するためのビット列（例えば、８ｂｉｔ）である。エラー表示（ｂ）は、パケットの誤りの有無を示すビット列（例えば、１ｂｉｔ）である。開始表示（ｃ）は、ペイロードの先頭（開始位置）を示すビット列（例えば、１ｂｉｔ）である。優先度（ｄ）は、パケットの優先度を示すビット列（例えば、１ｂｉｔ）である。
【００３４】
ＰＩＤ（ｅ）は、パケット（ペイロード）の種類を示すビット列（例えば、１３ｂｉｔ）である。上述したように、ペイロードは、ＰＳＩ、ＳＩ、映像情報、音声情報、データ情報などを含む。すなわち、ＰＩＤは、いずれの情報がペイロードに含まれているかを示す。
【００３５】
スクランブル制御（ｆ）は、スクランブルの方法（モード）を示すビット列（例えば、２ｂｉｔ）である。スクランブルの方法（モード）は、スクランブルを施さない方法（モード）を含む。
【００３６】
付加情報制御（ｇ）は、付加情報が含まれているか否かを示すビット列（例えば、２ｂｉｔ）である。付加情報は、例えば、プログラム基準時刻（ＰＣＲ：Ｐｒｏｇｒａｍ  Ｃｌｏｃｋ  Ｒｅｆｅｒｅｎｃｅ）である。
【００３７】
順序表示（ｈ）は、パケットの連続性をＰＩＤ毎に示すビット列（例えば、４ｂｉｔ）である。順序表示（ｈ）は、ＰＩＤ毎にパケットが連続しているか否かの判定に用いられる。
【００３８】
第２に、代表的なパケットの種類について、図３（ａ）〜図３（ｄ）を参照しながら説明する。上述したように、パケット（ペイロード）の種類は、ＰＩＤによって識別される。
【００３９】
図３（ａ）〜図３（ｄ）に示すように、パケット（ペイロード）の種類は、ＥＣＭ（Ｅｎｔｉｔｌｅｍｅｎｔ  Ｃｏｎｔｒｏｌ  Ｍｅｓｓａｇｅ）、映像情報（Ｖ）、音声情報（Ａ）、データ情報（Ｄ）などである。
【００４０】
ここで、ＥＣＭは、スクランブルの解除に用いるスクランブル鍵の取得に用いる情報を含む。
【００４１】
なお、映像情報（Ｖ）を含むパケット及び音声情報（Ａ）を含むパケットにはスクランブルが施されている。データ情報（Ｄ）を含むパケットにはスクランブルが施されていてもよく、スクランブルが施されていなくてもよい。ＥＣＭを含むパケットにはスクランブルが施されていない。
【００４２】
（チューナ装置の構成）
以下において、第１実施形態に係るチューナ装置について、図面を参照しながら説明する。図４は、第１実施形態に係るチューナ装置１０を示すブロック図である。
【００４３】
図４に示すように、チューナ装置１０は、アンテナ１１と、受信処理部１２と、端末Ｉ／Ｆ１３とを有する。
【００４４】
アンテナ１１は、非スクランブル放送データ及びスクランブル放送データが重畳されたデジタル放送データの電波を受信する。
【００４５】
受信処理部１２は、アンテナ１１によって受信された電波に基づいて、非スクランブル放送データ及びスクランブル放送データを取得する。受信処理部１２は、ユーザによって選択された１つのチャネルに対応するデジタル放送データ（非スクランブル放送データ及びスクランブル放送データ）を取得する。
【００４６】
具体的には、受信処理部１２は、復調処理及び復号処理を行う。詳細には、受信処理部１２は、同期検波処理、ガードインターバルの除去処理、ＤＦＴ（Ｄｉｓｃｒｅｔｅ  Ｆｏｕｒｉｅｒ  Ｔｒａｎｓｆｏｒｍ）処理、逆拡散処理、並列直列変換処理などを行う。
【００４７】
端末Ｉ／Ｆ１３は、端末装置２０に接続するためのインタフェースである。端末Ｉ／Ｆ１３は、例えば、ＵＳＢポートである。例えば、端末Ｉ／Ｆ１３は、受信処理部１２によって受信処理が施されたデジタル放送データを端末装置２０に出力する。
【００４８】
（端末装置の構成）
以下において、第１実施形態に係る端末装置について、図面を参照しながら説明する。図５は、第１実施形態に係る端末装置２０を示すブロック図である。
【００４９】
図５に示すように、端末装置２０は、第１Ｉ／Ｆ２１と、分離部２２と、記憶部２３と、再生部２４と、混合部２５と、第２Ｉ／Ｆ２６と、制御部２７と、スイッチ群（ＳＷ１〜ＳＷ４）とを有する。
【００５０】
第１Ｉ／Ｆ２１は、チューナ装置１０を接続するためのインタフェースである。第１Ｉ／Ｆ２１は、例えば、ＵＳＢポートなどである。例えば、第１Ｉ／Ｆ２１は、非スクランブル放送データとスクランブル放送データとが重畳されたデジタル放送データをチューナ装置１０から取得する。
【００５１】
分離部２２は、受信処理部１２によって取得されたデジタル放送データに基づいて、非スクランブル放送データとスクランブル放送データとを分離する。分離部２２によって分離された非スクランブル放送データは、ＳＷ１がＯＮである場合に、第１記憶部２３ａに出力される。分離部２２によって分離されたスクランブル放送データは、ＳＷ２がＯＮである場合に、第２記憶部２３ｂに出力される。
【００５２】
記憶部２３は、データを記憶するＨＤＤなどのストレージである。具体的には、記憶部２３は、第１記憶部２３ａ及び第２記憶部２３ｂを有する。第１記憶部２３ａは、ＳＷ１がＯＮである場合に、非スクランブル放送データを記憶する。第２記憶部２３ｂは、ＳＷ２がＯＮである場合に、スクランブル放送データを記憶する。なお、第２記憶部２３ｂは、スクランブルが解除されていない状態でスクランブル放送データを記憶する。
【００５３】
再生部２４は、データの再生処理を行う。再生部２４は、例えば、映像やデータを表示する表示部、音声を出力するスピーカなどによって構成される。再生部２４は、非スクランブル放送データ及びスクランブル放送データを再生することが可能である。
【００５４】
上述したように、スクランブル放送データにはスクランブルが施されている。従って、スクランブル放送データを再生するためには、スクランブル放送データに施されたスクランブルの解除が必要であることに留意すべきである。スクランブル放送データに施されたスクランブルは、デスクランブル装置３０によって解除される。
【００５５】
混合部２５は、非スクランブル放送データ及びスクランブル放送データを混合する。混合部２５は、非スクランブル放送データ及びスクランブル放送データを第２Ｉ／Ｆ２６に出力する。
【００５６】
なお、混合部２５は、１対のＳＷ３がＡ側に接続されている場合に、非スクランブル放送データ及びスクランブル放送データを記憶部２３から取得する。一方で、混合部２５は、１対のＳＷ３がＢ側に接続されている場合に、非スクランブル放送データ及びスクランブル放送データを分離部２２から取得する。
【００５７】
第２Ｉ／Ｆ２６は、デスクランブル装置３０を接続するためのインタフェースである。第２Ｉ／Ｆ２６は、例えば、ＵＳＢポートなどである。例えば、第２Ｉ／Ｆ２６は、スクランブルが施されていない非スクランブル放送データ及びスクランブルが施されたスクランブル放送データをデスクランブル装置３０に出力する。第２Ｉ／Ｆ２６は、スクランブルが解除されたスクランブル放送データをデスクランブル装置３０から取得する。
【００５８】
制御部２７は、判定部２７ａと、要求部２７ｂと、切替部２７ｃとを有する。
【００５９】
判定部２７ａは、デスクランブル装置３０を用いることが可能であるか否かを判定する。具体的には、判定部２７ａは、第２Ｉ／Ｆ２６を介してデスクランブル装置３０が接続されているか否かを判定する。判定部２７ａは、デスクランブル装置３０の電源が投入されているか否かを判定してもよい。判定部２７ａは、デスクランブル装置３０が正常に動作するか否かを判定してもよい。判定部２７ａは、デスクランブル装置３０にＣＡモジュール３４が装着されているか否かを判定してもよい。
【００６０】
要求部２７ｂは、スクランブル放送データに施されたスクランブルの解除をデスクランブル装置３０に要求する。また、要求部２７ｂは、スクランブルが解除されたスクランブル放送データの端末装置２０への出力をデスクランブル装置３０に要求する。
【００６１】
具体的には、要求部２７ｂは、デスクランブル装置３０を用いることが可能であるか否かを示す情報を判定部２７ａから取得する。要求部２７ｂは、デスクランブル装置３０を用いることが可能である場合に、スクランブルの解除及び端末装置２０への出力をデスクランブル装置３０に要求する。
【００６２】
切替部２７ｃは、ＳＷ１〜ＳＷ４の切り替えを制御する。具体的には、切替部２７ｃは、図６に示すように、モード、利用可否及びデータ種別に応じて、ＳＷ１〜ＳＷ４の切り替えを制御する。
【００６３】
モードは、録画モード、視聴モード又は視聴／記録モードである。利用可否は、デスクランブル装置３０を用いることが可能であるか否かを示す情報である。データ種別は、スクランブル放送データ又は非スクランブル放送データである。なお、対応可否は、当該モードに対応することが可能であるか否かを示す情報である。
【００６４】
（１）録画モード
録画モードでは、利用可否は不問である。切替部２７ｃは、スクランブル放送データについては、ＳＷ２をＯＮにする。切替部２７ｃは、非スクランブル放送データについては、ＳＷ１をＯＮにする。
【００６５】
（２）視聴モード、かつ、利用不可
切替部２７ｃは、非スクランブル放送データについては、１対のＳＷ３をＢ側に接続し、ＳＷ４をＡ側に接続する。これによって、分離部２２によって分離された非スクランブル放送データは再生部２４に出力される。なお、スクランブル放送データについては対応不可である。
【００６６】
（３）視聴／記録モード、かつ、利用不可
切替部２７ｃは、非スクランブル放送データについては、１対のＳＷ３をＡ側に接続し、ＳＷ４をＡ側に接続する。これによって、第１記憶部２３ａに記憶された非スクランブル放送データは再生部２４に出力される。なお、スクランブル放送データについては対応不可である。
【００６７】
（４）視聴モード、かつ、利用可能
切替部２７ｃは、スクランブル放送データについては、１対のＳＷ３をＢ側に接続し、ＳＷ４をＢ側に接続する。これによって、分離部２２によって分離されたスクランブル放送データは、デスクランブル装置３０に出力される。また、デスクランブル装置３０でスクランブルが解除されたスクランブル放送データは、再生部２４に出力される。
【００６８】
切替部２７ｃは、非スクランブル放送データについては、１対のＳＷ３をＢ側に接続し、ＳＷ４をＡ側に接続する。これによって、分離部２２によって分離された非スクランブル放送データは、再生部２４に出力される。
【００６９】
（５）視聴／記録モード、かつ、利用可能
切替部２７ｃは、スクランブル放送データについては、１対のＳＷ３をＡ側に接続し、ＳＷ４をＢ側に接続する。これによって、第２記憶部２３ｂに記憶されたスクランブル放送データは、デスクランブル装置３０に出力される。また、デスクランブル装置３０でスクランブルが解除されたスクランブル放送データは、再生部２４に出力される。
【００７０】
切替部２７ｃは、非スクランブル放送データについては、１対のＳＷ３をＡ側に接続し、ＳＷ４をＡ側に接続する。これによって、第１記憶部２３ａに記憶された非スクランブル放送データは再生部２４に出力される。
【００７１】
（デスクランブル装置の構成）
以下において、第１実施形態に係るデスクランブル装置について、図面を参照しながら説明する。図７は、第１実施形態に係るデスクランブル装置３０を示すブロック図である。
【００７２】
図７に示すように、デスクランブル装置３０は、端末Ｉ／Ｆ３１と、ＥＣＭ分離部３２と、チャネル情報解析部３３と、ＣＡモジュール３４と、デスクランブル部３５とを有する。
【００７３】
端末Ｉ／Ｆ３１は、端末装置２０に接続するためのインタフェースである。端末Ｉ／Ｆ３１は、例えば、ＵＳＢポートなどである。例えば、端末Ｉ／Ｆ３１は、スクランブルが施されたスクランブル放送データを端末装置２０から取得する。端末Ｉ／Ｆ３１は、スクランブルが解除されたスクランブル放送データを端末装置２０に出力する。
【００７４】
ＥＣＭ分離部３２は、パケットに含まれるＰＩＤを参照して、ＰＳＩやＳＩを含むパケットを分離する。ＥＣＭ分離部３２は、ＰＳＩやＳＩを含むパケットをチャネル情報解析部３３に出力する。ＥＣＭ分離部３２は、ＰＳＩやＳＩを除いた他のパケットをデスクランブル部３５に出力する。
【００７５】
チャネル情報解析部３３は、ＰＳＩやＳＩを含むパケットを解析する。第１に、チャネル情報解析部３３は、ＰＳＩを含むパケットから、ＰＡＴ（Ｐｒｏｇｒａｍ  Ａｓｓｏｃｉａｔｉｏｎ  Ｔａｂｌｅ）を抽出する。続いて、チャネル情報解析部３３は、ＰＡＴに基づいて、ユーザによって選択された１つのチャネルに対応するデジタル放送データのＰＭＴ（Ｐｒｏｇｒａｍ  Ｍａｐ  Ｔａｂｌｅ）を含むパケットを識別するＰＩＤを抽出する。
【００７６】
ＰＡＴには、各チャネルに対応するデジタル放送データのＰＭＴを含むパケットを識別するＰＩＤが記述されている。ＰＭＴには、デジタル放送データを構成する各データ（ＥＣＭ、映像情報、音声情報、データ情報）を含むパケットを識別するＰＩＤが記述されている。
【００７７】
第２に、チャネル情報解析部３３は、ＳＩを含むパケットから、ＰＭＴ（Ｐｒｏｇｒａｍ  Ｍａｐ  Ｔａｂｌｅ）を抽出する。続いて、チャネル情報解析部３３は、ＰＭＴに基づいて、デジタル放送データを構成する各データ（ＥＣＭ、映像情報、音声情報、データ情報）を含むパケットを識別するＰＩＤを抽出する。チャネル情報解析部３３は、各データを含むパケットを識別するＰＩＤをＣＡモジュール３４に通知する。
【００７８】
ＣＡモジュール３４は、スクランブルの解除に用いるスクランブル鍵を格納する。ＣＡモジュール３４は、スクランブルの解除に用いるスクランブル鍵をデスクランブル部３５に出力する。具体的には、ＣＡモジュール３４は、チャネル情報解析部３３から取得するＰＩＤに対応するスクランブル鍵をデスクランブル部３５に出力する。
【００７９】
ＣＡモジュール３４は、デスクランブル装置３０に内蔵されていてもよく、デスクランブル装置３０に着脱可能に構成されていてもよい。例えば、ＣＡモジュール３４は、ＢＣＡＳ（ＢＳ  Ｃｏｎｄｉｔｉｏｎａｌ  Ａｃｃｅｓｓ  Ｓｙｓｔｅｍ）カードなどである。
【００８０】
デスクランブル部３５は、スクランブル鍵を用いて、デジタル放送データに施されたスクランブルを解除する。具体的には、デスクランブル部３５は、ＣＡモジュール３４から取得するスクランブル鍵を用いて、映像情報を含むパケットに施されたスクランブルを解除する。同様に、デスクランブル部３５は、ＣＡモジュール３４から取得するスクランブル鍵を用いて、音声情報を含むパケットやデータ情報を含むパケットに施されたスクランブルを解除する。デスクランブル部３５は、スクランブルが解除されたパケットを端末Ｉ／Ｆ３１に出力する。
【００８１】
（端末装置の動作）
以下において、第１実施形態に係る端末装置の動作について、図面を参照しながら説明する。図８〜図１０は、第１実施形態に係る端末装置２０の動作を示すフロー図である。
【００８２】
第１に、デスクランブル装置３０を用いることができるか否かを考慮しないケースについて、図８を参照しながら説明する。
【００８３】
図８に示すように、ステップ１０において、端末装置２０は、非スクランブル放送データ及びスクランブル放送データが重畳されたデジタル放送データをチューナ装置１０によって受信する。
【００８４】
ステップ１１において、端末装置２０は、デジタル放送データに基づいて、非スクランブル放送データとスクランブル放送データとを分離する。
【００８５】
ステップ１２において、端末装置２０は、スクランブル放送データに施されたスクランブルを解除せずに、スクランブル放送データを記憶部２３（第２記憶部２３ｂ）に記憶する。なお、端末装置２０は、非スクランブル放送データを記憶部２３（第１記憶部２３ａ）に記憶してもよい。
【００８６】
ステップ１３において、端末装置２０は、非スクランブル放送データの再生処理を行う。
【００８７】
なお、ステップ１２及びステップ１３の順序が入れ替わってもよいことは勿論である。
【００８８】
第２に、デスクランブル装置３０を用いることができるか否かを考慮するケースについて、図９を参照しながら説明する。
【００８９】
図９に示すように、ステップ２０において、端末装置２０は、非スクランブル放送データ及びスクランブル放送データが重畳されたデジタル放送データをチューナ装置１０によって受信する。
【００９０】
ステップ２１において、端末装置２０は、デジタル放送データに基づいて、非スクランブル放送データとスクランブル放送データとを分離する。
【００９１】
ステップ２２において、端末装置２０は、デスクランブル装置３０を用いることができるか否かを判定する。端末装置２０は、デスクランブル装置３０を用いることができる場合には、ステップ２３の処理に移る。端末装置２０は、デスクランブル装置３０を用いることができない場合には、ステップ２６の処理に移る。
【００９２】
ステップ２３において、端末装置２０は、スクランブル放送データに施されたスクランブルの解除をデスクランブル装置３０に要求する。また、端末装置２０は、スクランブルが解除されたスクランブル放送データの端末装置２０への出力をデスクランブル装置３０に要求する。
【００９３】
ステップ２４において、端末装置２０は、スクランブルが解除されたスクランブル放送データを記憶部２３（第２記憶部２３ｂ）に記憶する。なお、端末装置２０は、非スクランブル放送データを記憶部２３（第１記憶部２３ａ）に記憶してもよい。
【００９４】
ステップ２５において、端末装置２０は、スクランブルが解除されたスクランブル放送データの再生処理を行う。なお、端末装置２０は、非スクランブル放送データの再生処理を行ってもよい。
【００９５】
ステップ２６において、端末装置２０は、スクランブル放送データに施されたスクランブルを解除せずに、スクランブル放送データを記憶部２３（第２記憶部２３ｂ）に記憶する。なお、端末装置２０は、非スクランブル放送データを記憶部２３（第１記憶部２３ａ）に記憶してもよい。
【００９６】
ステップ２７において、端末装置２０は、非スクランブル放送データの再生処理を行う。
【００９７】
なお、ステップ２４及びステップ２５の順序が入れ替わってもよいことは勿論である。同様に、ステップ２６及びステップ２７の順序が入れ替わってもよいことは勿論である。
【００９８】
第３に、スクランブルが解除されていないスクランブル放送データが記憶部２３（第２記憶部２３ｂ）に記憶されているケースについて、図１０を参照しながら説明する。なお、図１０に示すフローは、ユーザからの指示や所定周期で実行される処理である。
【００９９】
図１０に示すように、ステップ３０において、端末装置２０は、デスクランブル装置３０を用いることができるか否かを判定する。端末装置２０は、デスクランブル装置３０を用いることができる場合には、ステップ３１の処理に移る。端末装置２０は、デスクランブル装置３０を用いることができない場合には、一連の処理を終了する。
【０１００】
ステップ３１において、端末装置２０は、スクランブルが施されたスクランブル放送データを記憶部２３（第２記憶部２３ｂ）から読み出す。
【０１０１】
ステップ３２において、端末装置２０は、スクランブル放送データに施されたスクランブルの解除をデスクランブル装置３０に要求する。また、端末装置２０は、スクランブルが解除されたスクランブル放送データの端末装置２０への出力をデスクランブル装置３０に要求する。
【０１０２】
ステップ３３において、端末装置２０は、デスクランブル装置３０によってスクランブルが解除されたスクランブル放送データを記憶部２３（第２記憶部２３ｂ）に記憶する。
【０１０３】
（作用及び効果）
第１実施形態では、分離部２２は、スクランブルが施されていない非スクランブル放送データを再生部２４に出力する。一方で、分離部は、スクランブルが施されたスクランブル放送データを記憶部２３に出力する。すなわち、スクランブル放送データに施されたスクランブルを解除できない環境下であっても、スクランブルの解除を後で行うために、スクランブル放送データを記憶部２３に記憶する。
【０１０４】
これによって、ユーザは、ワンセグメント放送などの非スクランブル放送については直ちに視聴することができ、フルセグメント放送などのスクランブル放送については後で視聴することができる。このように、非スクランブル放送放送の視聴とスクランブル放送放送の視聴との両立を図ることができる。
【０１０５】
第１実施形態では、分離部２２は、デスクランブル装置３０を用いることが可能である場合には、スクランブルが施されたスクランブル放送データをデスクランブル装置３０に出力する。すなわち、スクランブル放送データに施されたスクランブルを解除できる環境下であれば、ユーザは、フルセグメント放送を直ちに視聴することができる。
【０１０６】
第１実施形態では、要求部２７ｂは、デスクランブル装置３０を用いることが可能である場合には、スクランブル放送データに施されたスクランブルの解除をデスクランブル装置３０に要求する。すなわち、スクランブルを解除できる環境になった場合に、後で視聴する目的で記憶部２３に記憶されたスクランブル放送データに施されたスクランブルを解除しておく。これによって、ユーザが視聴したいときに、スクランブルを解除できない環境下であっても、ユーザは、フルセグメント放送を視聴することができる。
【０１０７】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０８】
例えば、端末装置２０の動作（すなわち、図８〜図１０に示したフロー）をコンピュータに実行させるプログラムが提供されてもよい。また、このようなプログラムが格納された記憶媒体が提供されてもよい。プログラムが格納された記憶媒体は、例えば、デスクランブル装置３０に付属するＣＤ−ＲＯＭなどである。
【０１０９】
スクランブル放送データは、映像情報、音声情報及びデータ情報に加えて、字幕情報を含んでもよいことは勿論である。
【０１１０】
上述した実施形態では、非スクランブル放送データ及びスクランブル放送データを含むデジタル放送データについて例示した。しかしながら、デジタル放送データはこれに限定されるものではないことは勿論である。
【０１１１】
上述した実施形態では特に触れていないが、チューナ装置１０と端末装置２０との間における通信データは暗号化されていてもよい。同様に、端末装置２０とデスクランブル装置３０との間における通信データは暗号化されていてもよい。
【０１１２】
上述した実施形態では、デスクランブル装置３０は、端末装置２０に着脱可能に構成されるが、実施形態はこれに限定されるものではない。端末装置２０は、デスクランブル装置３０を内蔵していてもよい。
【図面の簡単な説明】
【０１１３】
【図１】第１実施形態に係る受信システム１００を示す図である。
【図２】第１実施形態に係るデジタル放送データを説明するための図である。
【図３】第１実施形態に係るデジタル放送データを説明するための図である。
【図４】第１実施形態に係るチューナ装置１０を示すブロック図である。
【図５】第１実施形態に係る端末装置２０を示すブロック図である。
【図６】第１実施形態に係るＳＷ群の切り替え例を示す図である。
【図７】第１実施形態に係るデスクランブル装置３０を示すブロック図である。
【図８】第１実施形態に係る端末装置２０の動作を示すフロー図である。
【図９】第１実施形態に係る端末装置２０の動作を示すフロー図である。
【図１０】第１実施形態に係る端末装置２０の動作を示すフロー図である。
【符号の説明】
【０１１４】
１０・・・チューナ装置、１１・・・アンテナ、１２・・・受信処理部、１３・・・端末Ｉ／Ｆ、２０・・・端末装置、２１・・・第１Ｉ／Ｆ、２２・・・分離部、２３・・・記憶部、２４・・・再生部、２５・・・混合部、２６・・・第２Ｉ／Ｆ、２７・・・制御部３０・・・デスクランブル装置、３１・・・端末Ｉ／Ｆ、３２・・・ＥＣＭ分離部、３３・・・チャネル情報解析部、３４・・・ＣＡモジュール、３５・・・デスクランブル部、１００・・・受信システム
【図１】
2010081059.tif 000003
【図２】
2010081059.tif 000004
【図３】
2010081059.tif 000005
【図４】
2010081059.tif 000006
【図５】
2010081059.tif 000007
【図６】
2010081059.tif 000008
【図７】
2010081059.tif 000009
【図８】
2010081059.tif 000010
【図９】
2010081059.tif 000011
【図１０】
2010081059.tif 000012